(57)【要約】【課題】従来は、プレスと同時に音声コーデック処理を開始するため、プレスタイミングによっては、送信フレームとのタイミングが合わくなる場合がある。この場合、データを保持し次フレームの先頭で送出すると、音声遅延が著しく増大する問題が生じる。【解決手段】音声を送信する過程で最も時間を要する処理は、通常、音声コーデック処理である。以降の各処理（マッピング〜窓処理）は、音声コーデック処理終了時点から処理を開始するため、音声コーデックの処理開始タイミングを送信フレームタイミングを基に生成し、プレスの有無に拘わらず動作させることによって、プレスに依存しないタイミングで動作を行い、音声遅延を最小とすることができる。【選択図】      図１
2004200877.tif 000002
【特許請求の範囲】
【請求項１】
音声をサンプリングした後、音声コーデック処理を行い、符号化された音声データを伝送するデジタル移動無線通信において、
前記音声コーデックによる処理遅延に基づき、音声コーデック起動タイミングを決定することにより、送信時の音声遅延を減少させることを特徴とする音声伝送方式。
【請求項２】
請求項１記載の音声伝送方式において、
送信開始前は、ダミーデータを音声コーデックに送出する処理を施こすことにより、音声の最初に雑音が混入されることを抑制する音声伝送方式。
【発明の詳細な説明】
【０００１】
【発明の属する技術分野】
本発明は、デジタル移動無線通信における音声伝送方式に関するものである。
【０００２】
【従来の技術】
図２、図３を用いて従来例を説明する。図２は送信処理ブロック図であり、１０１は音声入力端子、１０３は音声コーデック部、１０５はフレーム組立部、１０６はマッピング部、１０７は送信フィルタ部、１０８は窓処理部、１０９は送信信号出力端子、１１２はプレス検出部、２０１はデジタル符号化部及び２０２はエンコード処理部を示す。図３は各ブロックの動作タイミング図である。
【０００３】
送信開始（プレス）をプレス検出部１１２が検出すると、デジタル符号化部２０１及び音声コーデック部１０３へ処理開始を指示する。デジタル符号化部２０１は、リアルタイム処理で、音声の量子化及びデジタル符号化処理を行い、音声コーデック部１０３へ出力する。音声コーデック部１０３は、既定間隔（１フレーム長）の音声データに対して、音声圧縮及び誤り訂正処理などの符号化処理を行い、エンコード処理部２０２へ出力する。エンコード処理部２０２は、１フレーム分のデータを音声コーデック部１０３から受け取った時点で、エンコード処理を開始し、処理を終了した時点で作成したデータをフレーム組立部１０５へ出力する。
【０００４】
フレーム組立部１０５では、例えば、図５に示すフレームフォーマットに従い、フレームを組み立てる。このとき、音声データは、図５中のＴＣＨ部に格納される。フレーム構成となったデータは、マッピング部１０６へ出力される。マッピング部１０６では、データを順次マッピング（変調）を行い、送信フィルタ１０７へ出力する。送信フィルタ１０７にて、帯域制限処理を行った信号は、窓処理部１０８へ出力される。窓処理部１０８にて、フィルタ出力と窓係数との乗算処理を行い、送信信号出力端子１０９へ出力される。これらの一連の処理を時間的に表すと、例えば、図３のタイミングチャートに示すタイミングでデータ処理が施される。
【０００５】
【発明が解決しようとする課題】
上述した従来技術では、プレスと同時に音声コーデック処理を開始するため、プレスのタイミングによっては、図４のように、送信フレームとのタイミングが合わなくなる場合がある。この場合、データを保持し、次フレームの先頭で送出すると、音声遅延が増大し、実用に供し得なくなる問題が発生する。
【０００６】
本発明の目的は、このような音声遅延の増大を低減させる音声伝送方式を提供することにある。
【０００７】
【課題を解決するための手段】
音声を送信する過程で、最も時間を要する（遅延の大きくなる）要素は、通常、音声コーデック処理である。以降の各処理（マッピング〜窓処理）は、音声コーデック処理終了時点から処理を開始するため、音声コーデックの処理開始タイミングを送信フレームタイミングを元に生成し、プレスの有無に拘わらず動作させることにより、プレスに依存しないタイミングで動作を行い、音声遅延を最小にする。また、この際プレスのタイミングが既定タイミング外だった場合、音声の先頭に雑音が混入する可能性があるため、無音声となるようなダミーデータを挿入し、雑音混入を抑制する。
【０００８】
【発明の実施の形態】
以下、図１及び図６を用いて本発明の一実施例を説明する。図１において、１０２はデジタル符号化部、１０４はエンコード処理部、１１０はタイミング制御部及び１１１はフレームタイミング生成部を示し、他従来例と同様の動作をするものに関しては、同一の番号を付した。図６は提案法によるタイミング図である。
【０００９】
デジタル符号化部１０２は、プレス検出部１１２からの送信開始信号を監視し、送信開始前ならば、ダミーデータ（例えば、オール０などの無音となるようなデータ）を出力する。また、送信開始後は、音声入力端子１０１からの信号を量子化及びデジタル符号化処理を行い、音声コーデック部１０３へ出力する。タイミング制御部１１０は、フレームタイミング生成部１１１からのフレーム信号からフレーム構成終了時に、次フレーム送信開始となるよう、音声コーデック処理を開始するタイミングを生成し、音声コーデック部１０３へ出力する。また、プレス検出部１１２から送信開始検出情報がタイミング制御部１１０へ入力された場合、タイミング制御部１１０はエンコード処理部１０４に対して、処理開始を指示する制御信号を出力する。音声コーデック部１０３は、既定間隔の音声データに対して音声圧縮及び誤り訂正処理などの符号化処理を行い、エンコード処理部１０４へ出力する。エンコード処理部１０４は、１フレーム分のデータを音声コーデック部１０３から受け取った時点で、エンコード処理を開始し、処理を終了した時点で作成したデータをフレーム組立部１０５へ出力する。フレーム組立部１０５では、例えば、図５に示すフレームフォーマットに従い、フレームを組み立てる。このとき、音声データは図５中のＴＣＨ部に格納される。フレーム構成となったデータは、マッピング部１０６へ出力される。マッピング部１０６は、入力データに対し、マッピング処理を行い、データを送信フィルタ１０７へ出力させる。送信フィルタ１０７にて帯域制限処理が施された信号は窓処理部１０８へ出力される。窓処理部１０８にて、フィルタ出力と窓係数との乗算処理を行い、送信信号出力端子１０９へ出力される。これらの一連の処理を時間的に表すと、例えば、図６のタイミングチャートに示すタイミングで、データ処理が施される。
【００１０】
【発明の効果】
以上説明したように、本発明の音声伝送方式によれば、音声遅延を最小とした音声通話を実現することが可能となる。
【図面の簡単な説明】
【図１】本発明の一実施例を示す送信処理ブロック図。
【図２】従来例による送信処理ブロック図。
【図３】従来例による送信処理タイミング図。
【図４】従来例による送信処理タイミング図。
【図５】通信チャネルのフレーム構成の一例を示す図。
【図６】本発明の一実施例を示す送信処理タイミングチャート。
【符号の説明】
１０１：音声入力端子、１０２：デジタル符号化部、１０３：音声コーデック部、１０４：エンコード処理部、１０５：フレーム組立部、１０６：マッピング部、１０７：送信フィルタ部、１０８：窓処理部、１０９：送信信号出力端子、１１０：タイミング制御部、１１１：フレームタイミング生成部、１１２：プレス検出部、２０１：デジタル符号化部、２０２：エンコード処理部。
【図１】
2004200877.tif 000003
【図２】
2004200877.tif 000004
【図３】
2004200877.tif 000005
【図４】
2004200877.tif 000006
【図５】
2004200877.tif 000007
【図６】
2004200877.tif 000008